(57)【要約】  ＥＰＵＢ内に著作権情報を表示できる装置および方法が開示される。ファイル接近部はＥＰＵＢ定義に符合するＥＰＵＢ著作物のスキーマを出力する。著作権情報編集部はＥＰＵＢ著作物のスキーマに含まれたＸＭＬファイルの中で権限情報が記録されるＸＭＬファイルのｐａｒｔｙを構成する項目の中から著作権情報を構成する項目の値を使用者からの入力を受けて権限情報が記録されるＸＭＬファイルに記録する。本発明によれば、ＥＰＵＢの明細上のＲｉｇｈｔｓ．ｘｌｍに著作権情報を表示するためのフィールドを定義することによってＥＰＵＢ著作ツールを利用して電子ブックに著作権情報を入力することができ、ＥＰＵＢビューアーによって著作権情報を閲覧することができる。
2017501506.tif 000002
【特許請求の範囲】
【請求項１】
電子出版（Ｅｌｅｃｔｒｏｎｉｃ  Ｐｕｂｌｉｃａｔｉｏｎ：ＥＰＵＢ）内に著作権情報を表示できる装置において、
ＥＰＵＢ定義に符合するＥＰＵＢ著作物のスキーマを出力するファイル接近部；および
前記ＥＰＵＢ著作物のスキーマに含まれたＸＭＬファイルの中で権限情報が記録されるＸＭＬファイルのｐａｒｔｙを構成する項目の中から著作権情報を構成する項目の値を使用者からの入力を受けて前記権限情報が記録されるＸＭＬファイルに記録する著作権情報編集部；を含むことを特徴とする、装置。
【請求項２】
前記権限情報が記録されるＸＭＬファイルのｐａｒｔｙを構成する項目の値を読み込み、前記ＥＰＵＢ著作物に含まれたコンテンツに対する著作権情報を使用者に出力する著作権情報閲覧部をさらに含むことを特徴とする、請求項１に記載の装置。
【請求項３】
前記著作権情報閲覧部は前記著作権情報が設定されているコンテンツ上にカーソルが位置すると、ポップアップ画面を利用して前記著作権情報が設定されているコンテンツに対する著作権情報を出力することを特徴とする、請求項２に記載の装置。
【請求項４】
前記著作権情報を構成する項目の中から使用者が選択した項目を追加したり除去する項目管理部をさらに含むことを特徴とする、請求項１または請求項２に記載の装置。
【請求項５】
電子出版（Ｅｌｅｃｔｒｏｎｉｃ  Ｐｕｂｌｉｃａｔｉｏｎ：ＥＰＵＢ）内に著作権情報を表示するための方法において、
（ａ）ＥＰＵＢ定義に符合するＥＰＵＢ著作物のスキーマを出力する段階；および
（ｂ）前記ＥＰＵＢ著作物のスキーマに含まれたＸＭＬファイルの中で権限情報が記録されるＸＭＬファイルのｐａｒｔｙを構成する項目の中から著作権情報を構成する項目の値を使用者からの入力を受けて前記権限情報が記録されるＸＭＬファイルに記録する段階；を含むことを特徴とする、方法。
【請求項６】
（ｃ）前記権限情報が記録されるＸＭＬファイルのｐａｒｔｙを構成する項目の値を読み込み、前記ＥＰＵＢ著作物に含まれたコンテンツに対する著作権情報を使用者に出力する段階をさらに含むことを特徴とする、請求項５に記載の方法。
【請求項７】
前記（ｃ）段階で、前記著作権情報が設定されているコンテンツ上にカーソルが位置するとポップアップ画面を利用して前記著作権情報が設定されているコンテンツに対する著作権情報を出力することを特徴とする、請求項６に記載の方法。
【請求項８】
（ｄ）前記著作権情報を構成する項目の中から使用者が選択した項目を追加したり除去する段階をさらに含むことを特徴とする、請求項５に記載の方法。
【請求項９】
請求項５〜請求項７のいずれか一項に記載された方法をコンピュータで実行させるためのプログラムを記録した、コンピュータ可読記録媒体。
【発明の詳細な説明】
【技術分野】
【０００１】
本発明は電子出版（ｅｌｅｃｔｒｏｎｉｃ  ｐｕｂｌｉｃａｔｉｏｎ：ＥＰＵＢ）内に著作権情報を表示できる装置および方法に関するもので、より詳細には、国際デジタル出版フォーラム（ｉｎｔｅｒｎａｔｉｏｎａｌ  ｄｉｇｉｔａｌ  ｐｕｂｌｉｓｈｉｎｇ  ｆｏｒｕｍ：ＩＤＰＦ）が制定した事実上の電子ブック標準であるＥＰＵＢ内に著作権情報を表示できる装置および方法に関するものである。
【背景技術】
【０００２】
ＥＰＵＢはＩＤＰＦで制定した事実上の電子ブック標準である。ＥＰＵＢと関連してＥＰＵＢ  ３．０バージョンが２０１１年１０月１１日に公表されたところがある。しかし、コンテンツ保護のためのデジタル著作権管理（ｄｉｇｉｔａｌ  ｒｉｇｈｔｓ  ｍａｎａｇｅｍｅｎｔ：ＤＲＭ）は各電子ブックまたは、ソフトウェア製作／流通／サービス社別に多様に適用することができ、ＥＰＵＢには明示的には定義されていない。ＤＲＭはコンテンツの保護のための暗号化、コンテンツの使用に関する権限制御、偽・変造防止のための電子署名管理などのために用いられる。このようなＤＲＭの適用によって許可された使用者のみがＥＰＵＢ電子ブックを閲覧できるようにすることができ、閲覧、コピー、印刷などに制限を加えることができ、使用期間の制限も可能である。
【０００３】
一方、ＥＰＵＢはコンテンツ保護のための暗号化と電子署名に対する明細は提供しているか、権利に対する明細は定義していない。著作者、著作権者などに関する情報は必要情報の一つであるため、電子ブックの商用化においてＥＰＵＢの明細に符合する著作権者情報の表示方法が要求される。
【０００４】
また、韓国公開特許公報第２００４−０１０１３１１号（公開日：２００４年１２月２日）にはコンテンツの本来のフォーマットで権利表現を指定し、本来のフォーマットと関連した構文論情報（ｓｙｓｔａｘ  ｉｎｆｏｒｍａｔｉｏｎ）と意味論情報（ｓｅｍａｎｔｉｃｓ  ｉｎｆｏｒｍａｔｉｏｎ）の少なくともいずれか一つに基づいて権利表現のための中間フォーマットを生成し、権利表現は装置での実施のためのコンテンツの使用方式を指定し、文法−基盤言語を利用してエンコードされるコンテンツに関連した権利表現を処理するための装置および方法が開示されている。しかし、このような先行技術はコンテンツの使用に関する権利を定義するだけで、権利に対する具体的な明細の定義または処理するための技術に対しては全く開示または示唆していない。
【発明の概要】
【発明が解決しようとする課題】
【０００５】
本発明が達成しようとする技術的課題は、ＥＰＵＢ電子ブックおよびＥＰＵＢ電子ブックに含まれたテキスト、イメージ、動画などとようなそれぞれのコンテンツに著作権情報を表示できるＥＰＵＢの明細に符合する著作権情報表示装置および方法を提供することにある。
【０００６】
本発明が達成しようとする他の技術的課題は、ＥＰＵＢ電子ブックおよびＥＰＵＢ電子ブックに含まれたテキスト、イメージ、動画などのようなそれぞれのコンテンツに著作権情報を表示できるＥＰＵＢの明細に符合する著作権情報表示方法をコンピュータで実行させるためのプログラムを記録したコンピュータ可読記録媒体を提供することにある。
【課題を解決するための手段】
【０００７】
前記の技術的課題を達成するための、本発明に係るＥＰＵＢ内に著作権情報を表示できる装置は、ＥＰＵＢ定義に符合するＥＰＵＢ著作物のスキーマを出力するファイル接近部；および前記ＥＰＵＢ著作物のスキーマに含まれたＸＭＬファイルの中で権限情報が記録されるＸＭＬファイルのｐａｒｔｙを構成する項目の中から著作権情報を構成する項目の値を使用者からの入力を受けて前記権限情報が記録されるＸＭＬファイルに記録する著作権情報編集部；を具備する。
【０００８】
前記の技術的課題を達成するための、本発明に係るＥＰＵＢ内に著作権情報を表示するための方法は、（ａ）ＥＰＵＢ定義に符合するＥＰＵＢ著作物のスキーマを出力する段階；および（ｂ）前記ＥＰＵＢ著作物のスキーマに含まれたＸＭＬファイルの中で権限情報が記録されるＸＭＬファイルのｐａｒｔｙを構成する項目の中から著作権情報を構成する項目の値を使用者からの入力を受けて前記権限情報が記録されるＸＭＬファイルに記録する段階；を有する。
【発明の効果】
【０００９】
本発明に係るＥＰＵＢ内に著作権情報を表示できる装置および方法によれば、ＥＰＵＢの明細上のＲｉｇｈｔｓ．ｘｌｍに著作権情報を表示するためのフィールドを定義することによって、ＥＰＵＢ著作ツールを利用して電子ブックに著作権情報を入力することができ、ＥＰＵＢビューアーによって著作権情報を閲覧することができる。またＥＰＵＢ電子ブックおよびＥＰＵＢ電子ブックに含まれたテキスト、イメージ、動画などのようなそれぞれのコンテンツに著作権情報を表示することができる。
【図面の簡単な説明】
【００１０】
【図１】本発明に係るＥＰＵＢ内に著作権情報を表示できる装置に対する好ましい実施例の構成を図示した図面。
【図２】ＥＰＵＢ著作物の階層的スキーマを図示した図面。
【図３】ｒｉｇｈｔ．ｘｍｌを構成するｒｉｇｈｔｓ、ａｇｒｅｅｍｅｎｔおよびｐａｒｔｙのプロファイルを図示した図面。
【図４】ｐａｒｔｙのスキーマを図示した図面。
【図５】本発明に係るＥＰＵＢ内に著作権情報を表示する方法に対する好ましい実施例の遂行過程を図示したフローチャート。
【発明を実施するための形態】
【００１１】
以下、添付された図面を参照して本発明に係るＥＰＵＢ内に著作権情報を表示できる装置および方法の好ましい実施例に対して詳細に説明する。
【００１２】
図１は本発明に係るＥＰＵＢ内に著作権情報を表示できる装置に対する好ましい実施例の構成を図示した図面である。図１を参照すれば、本発明に係るＥＰＵＢ内に著作権情報を表示できる装置に対する好ましい実施例１００は、ファイル接近部１１０、項目管理部１２０、著作権情報編集部１３０および著作権情報閲覧部１４０を具備する。
【００１３】
ファイル接近部１１０は、保存手段（図示せず）からＥＰＵＢ定義に符合する電子ブック（以下、「ＥＰＵＢ著作物」という）を読み込んだ後ＥＰＵＢ著作物のスキーマを出力する。このために、ファイル接近部１１０はＸＭＬ（ｅｘｔｅｎｓｉｂｌｅ  ｍａｒｋｕｐ  ｌａｎｇｕａｇｅ）文書からスキーマを抽出できる機能を具備する。一方、、保存手段は本発明に係るＥＰＵＢ内に著作権情報を表示できる装置１００に具備され得る。また、通信網を通じてＥＰＵＢ著作物を提供する著作物サーバーが保存手段として機能することができ、この場合、ファイル接近部１１０は著作物サーバーに接続してＥＰＵＢ著作物の伝送を受けるための通信手段を具備する。
【００１４】
図２にはＥＰＵＢ著作物の階層的スキーマが図示されている。図２を参照すれば、ＥＰＵＢ著作物はＭＥＴＡ−ＩＮＦとＯＥＢＰＳフォルダ、そして、ｍｉｍｅｔｙｐｅを含むＯＣＦ（Ｏｐｅｎ  Ｃｏｎｔａｉｎｅｒ  Ｆｏｒｍａｔ）からなり、ＭＥＴＡ−ＩＮＦはｅｎｃｒｙｐｔｉｏｎ．ｘｍｌ、  ｓｉｇｎａｔｕｒｅｓ．ｘｍｌおよびｒｉｇｈｔｓ．ｘｍｌを含む。次はｅｎｃｒｙｐｔｉｏｎ．ｘｍｌ、ｓｉｇｎａｔｕｒｅｓ．ｘｍｌおよびｒｉｇｈｔｓ．ｘｍｌの例である。が図示されている。
【００１５】
［ｅｎｃｒｙｐｔｉｏｎ．ｘｍｌ］
＜？ｘｍｌ  ｖｅｒｓｉｏｎ＝“１．０”ｅｎｃｏｄｉｎｇ＝“ＵＴＦ−８”？＞
＜ｘｅｎｃ：ＥｎｃｒｙｐｔｅｄＤａｔａ  ｘｍｌｎｓ：ｅｎｃ＝“ｈｔｔｐ：／／ｗｗｗ．ｗ３．ｏｒｇ／２００１／０４／ｘｍｌｅｎｃ＃”＞
＜ｘｅｎｃ：ＥｎｃｒｙｐｔｉｏｎＭｅｔｈｏｄ
Ａｌｇｏｒｉｔｈｍ＝“ｈｔｔｐ：／／ｗｗｗ．ｗ３．ｏｒｇ／２００１／０４／ｘｍｌｅｎｃ＃ａｅｓ１２８−ｃｂｃ”／＞
＜ｄｓ：ＫｅｙＩｎｆｏ  ｘｍｌｎｓ：ｄｓ＝“ｈｔｔｐ：／／ｗｗｗ．ｗ３．ｏｒｇ／２０００／０９／ｘｍｌｄｓｉｇ＃”＞
＜ｄｓ：ＲｅｔｒｉｅｖａｌＭｅｔｈｏｄ  ＵＲＩ＝“＃ＥＫ”Ｔｙｐｅ＝“ｈｔｔｐ：／／ｗｗｗ．ｗ３．ｏｒｇ／２００１／０４／ｘｍｌｅｎｃ＃
ＥｎｃｙｒｐｔｅｄＫｅｙ”／＞
＜／ｄｓ：ＫｅｙＩｎｆｏ＞
＜ｘｅｎｃ：ＣｉｐｈｅｒＤａｔａ＞
＜ｘｅｎｃ：ＣｉｐｈｉｅｒＲｅｆｅｒｅｎｃｅ  ＵＲＩ＝“ＯＥＢＰＳ／ｃｏｎｔｅｎｔ．ｈｔｍｌ”／＞
＜／ｘｅｎｃ：ＣｉｐｈｅｒＤａｔａ＞
＜／ｘｅｎｃ：ＥｎｃｒｙｐｔｅｄＤａｔａ＞
＜ｘｅｎｃ：ＥｎｃｒｙｐｔｅｄＫｅｙ  ｘｍｌｎｓ：ｅｎｃ＝“ｈｔｔｐ：／／ｗｗｗ．ｗ３．ｏｒｇ／２００１／０４／ｘｍｌｅｎｃ＃”Ｉｄ＝“ＥＫ”＞
＜ｘｅｎｃ：ＥｎｃｒｙｐｔｉｏｎＭｅｔｈｏｄ
Ａｌｇｏｒｉｔｈｍ＝“ｈｔｔｐ：／／ｗｗｗ．ｗ３．ｏｒｇ／２００１／０４／ｘｍｌｅｎｃ＃ｒｓａ−ｏａｅｐ−ｍｇｆｌｐ”／＞
＜ｄｓ：ＫｅｙＩｎｆｏ  ｘｍｌｎｓ：ｄｓ＝“ｈｔｔｐ：／／ｗｗｗ．ｗ３．ｏｒｇ／２０００／０９／ｘｍｌｄｓｉｇ＃”＞
＜ｄｓ：ＫｅｙＮａｍｅ＞ｄｎＱｕａｌｉｆｉｅｒ＝ｄｕｙｅＥ２ｋＴＡｔｕｗｃｕＭｒ２ｐｅＹｓＱＫｕ５４ｋ＝，ＣＮ＝Ｃｕｓｔｏｍｅｒ
３
Ｎａｍｅ，  Ｏ＝ＳＰ  Ｎａｍｅ，Ｃ＝ｋｒ＜／ｄｓ：ＫｅｙＮａｍｅ＞
＜／ｄｓ：ＫｅｙＩｎｆｏ＞
＜ｘｅｎｃ：ＣｉｐｈｅｒＤａｔａ＞
＜ｘｅｎｃ：ＣｉｐｈｅｒＶａｌｕｅ＞ＹｋＯＰＳｊ＋ｍｖｒＱｖＴｇＱＴＱ８ＲＰｉｅｊｃＣＵＬｑＱＭ０Ｅ８Ｅｔｂｄ５ｆＤｈＸＹＤ６
ＱｍＴＣｅＡｃＳｔ＋Ｃｖｔｅ＋Ｖ３Ｌｕｚｓ２８１ＣＧ１ｐｙ９ＥＳ５ＪＥＺ４１２ＱＹ７ＹｄＮｔ４１ＫｔｎｚＶｂｍＧ２ｅｌＥＴＯ７
ＫＲ２ｖＨ９ｔＭ２ｗ１ＰａＧＷｎｓＫｇａｋＡ３２ＹＬ／ＳａＤＷＴｎ６ｄｃｅｒＦ９ＲｕＶａ０ｋＮｋｋ／ＭＯｄｙＲｚ＋６Ｋ／６９
Ｍ＝＜／ｘｅｎｃ：ＣｉｐｈｅｒＶａｌｕｅ＞
＜／ｘｅｎｃ：ＣｉｐｈｅｒＤａｔａ＞
＜／ｘｅｎｃ：ＥｎｃｒｙｐｔｅｄＫｅｙ＞
＜／ｅｎｃｒｙｐｔｉｏｎ＞
［ｓｉｇｎａｔｕｒｅｓ．ｘｍｌ］
＜？ｘｍｌ  ｖｅｒｓｉｏｎ＝“１．０”ｅｎｃｏｄｉｎｇ＝“ｕｔｆ−８”？＞
＜ｓｉｇｎａｔｕｒｅｓ  ｘｍｌｎｓ＝“ｕｒｎ：ｏａｓｉｓ：ｎａｍｅｓ：ｔｃ：ｏｅｐｎｄｏｃｕｍｅｎｔ：ｘｍｌｎｓ：ｃｏｎｔａｉｎｅｒ”＞
＜ｄｓ：Ｓｉｇｎａｔｕｒｅ  ｘｍｌｎｓ：ｄｓ＝“ｈｔｔｐ：／／ｗｗｗ．ｗ３．ｏｒｇ／２００１／０４／ｘｍｌｄｓｉｇ＃”  ｉｄ＝“ｓｉｇ”＞
＜ｄｓ：ＳｉｇｎｅｄＩｎｆｏ＞
＜ｄｓ：ＣａｎｏｎｉｃａｌｉｚａｔｉｏｎＭｅｔｈｏｄ  Ａｌｇｏｒｉｔｈｍ＝“ｈｔｔｐ：／／ｗｗｗ．ｗ３．ｏｒｇ／ＴＲ／２００１／
ＲＥＣ−ｘｍｌ−ｃ１４ｎ−２００１０３１５”／＞
＜ｄｓ：ＳｉｇｎａｔｕｒｅＭｅｔｈｏｄ  Ａｌｇｏｒｉｔｈｍ＝“ｈｔｔｐ：／／ｗｗｗ．ｗ３．ｏｒｇ／２００１／０４／ｘｍｌｄｓｉｇｍｏｒｅ＃
ｒｓａ−ｓｈａ２５６”／＞
＜ｄｓ：Ｒｅｆｅｒｅｎｃｅ  ＵＲＩ＝“＃Ｍａｎｉｆｅｓｔ１”＞
＜ｄｓ：Ｔｒａｎｓｆｏｒｍｓ＞
＜ｄｓ：Ｔｒａｎｓｆｏｒｍ  Ａｌｇｏｒｉｔｈｍ＝“ｈｔｔｐ：／／ｗｗｗ．ｗ３．ｏｒｇ／ＴＲ／２００１／ＲＥＣ−ｘｍｌ−ｃ１４ｎ−
２００１０３１５”／＞
＜／ｄｓ：Ｔｒａｎｓｆｏｒｍｓ＞
＜ｄｓ：ＤｉｇｅｓｔＭｅｔｈｏｄ  Ａｌｇｏｒｉｔｈｍ＝“ｈｔｔｐ：／／ｗｗｗ．ｗ３．ｏｒｇ／２００１／０４／ｘｍｌｅｎｃ＃  ｓｈａ２５６”／＞
＜ｄｓ：ＤｉｇｅｓｔＶａｌｕｅ＞ｂｗｇＤＪｄＹｃＲＺＥｑｐＵＲＢＶｇｘ／ＵＺＬ８ｈ４ｎｚＡｇＦＰＫ７１５ｅｙ１ｊｏｏＵ＝＜／ｄｓ：
ＤｉｇｅｓｔＶａｌｕｅ＞
＜／ｄｓ：Ｒｅｆｅｒｅｎｃｅ＞
＜ｄｓ：Ｔｒａｎｓｆｏｒｍｓ＞
＜ｄｓ：Ｔｒａｎｓｆｏｒｍ  Ａｌｇｏｒｉｔｈｍ＝“ｈｔｔｐ：／／ｗｗｗ．ｗ３．ｏｒｇ／ＴＲ／２００１／ＲＥＣ−ｘｍｌ−ｃ１４ｎ−
２００１０３１５”／＞
＜／ｄｓ：Ｔｒａｎｓｆｏｒｍｓ＞
＜ｄｓ：ＤｉｇｅｓｔＭｅｔｈｏｄ  Ａｌｇｏｒｉｔｈｍ＝“ｈｔｔｐ：／／ｗｗｗ．ｗ３．ｏｒｇ／２００１／０４／ｘｍｌｅｎｃ＃ｓｈａ２５６”／＞
＜ｄｓ：ＤｉｇｅｓｔＶａｌｕｅ＞３ＶＯｕＱｚ＋ｉｋｈ８ＬｐｄＺＣＸｓｆｍＫＪＵｏｆＭＱ０ｄＤＲｏＴｏｉＪ６ｓＢ７ＺＫＹ＝＜／ｄｓ：
ＤｉｇｅｓｔＶａｌｕｅ＞
＜／ｄｓ：Ｒｅｆｅｒｅｎｃｅ＞
＜／ｄｓ：ＳｉｇｎｅｄＩｎｆｏ＞
４
＜ｄｓ：ＳｉｇｎａｔｕｒｅＶａｌｕｅ＞ＸＲ４ｉＲ９Ｚ１ｒ＋ＭＯＺＴ４ｅｙｉｒｃｅＷｚＪ２ｑｒｐｈｊｐｎｖｊ３ｚＭＤｂ１ｏＰｐＶｎｑｘＩ／１
ＨｘＪｆＦ１ＹｊｅＶ５５３４Ｗ＋ｍｍａｚｅＨＳｔＯＦＬｊｑＴＷ／１ｋＧＹ８ｂＪ７ｃｂ８ｙ６５ＸｃｓＺｋｎＺＪＵＲｑＩｏＲｈｊＤ６ｋ
ＨＹｉ４Ｙｔ６ｇＰＲ／ＪｙＩｄｘＦＶＮｑＤＡＧｊｑｃＲＤｐ３８ｇｏｊＲ７ｂｔｔｎ／ｅ＋６ｑＫｑｙＯＯＭＰ８４／／＋ｏｎ９ＮｙＡｇｋｄ
ＭｈＴＶＯｂＨｇｎＣ１ｑｗＶｅＤ９３ＨｘＳｗ０ｐｔＬＭＭｚ５９ｊ／７ｑｐｒ２ＮＩｕ５ｚ７ＡａｄＫＦｇｒＯｚ＋ｔＤ４ＱＵＰ４Ｅ
ｖＷＢ３ＹＭ６ｚＪ１１Ｒ７ｕｄＶｆｄ／ｍｘｔＳｗｃｘｇ４ｇ６９ｉＢｎＫＡｎ１ｚＲＲ６８１ＨＢ０７ｈＧｒｘｕＦｉｚＬＡｒ７ｐｆＨ／ｕ
３Ｒｅｆｔｏｅｅ３ＴｃＲＨＹｋ＋ＲＭＡ７２ＢＪＧ８ｓＵｎｍＶＵｃＷＱ＝＝＜／ｄｓ：ＳｉｇｎａｔｕｒｅＶａｌｕｅ＞
：
［ｒｉｇｈｔｓ．ｘｍｌ］
＜？ｘｍｌ  ｖｅｒｓｉｏｎ＝“１．０”ｅｎｃｏｄｉｎｇ＝“ＵＴＦ−８”？＞
＜ｏ−ｅｘ：ｒｉｇｈｔｓ  ｘｍｌｎｓ＝“ｈｔｔｐ：／／ｏｄｒｌ．ｎｅｔ／１．１／ＯＤＲＬ−ＥＸ”
ｘｍｌｎｓ：ｏ−ｅｘ＝“ｈｔｔｐ：／／ｏｄｒｌ．ｎｅｔ／１．１／ＯＤＲＬ−ＥＸ”
ｘｍｌｎｓ：ｏ−ｄｄ＝“ｈｔｔｐ：／／ｏｄｒｌ．ｎｅｔ／１．１／ＯＤＲＬ−ＤＤ”
ｘｍｌｎｓ：ｅｂｒ＝“ｈｔｔｐ：／／ｅ−ｂｏｏｋ．ｃｏｐｙｒｉｇｈｔｓ．ｏｒ．ｋｒ／１．０／ｒｅｌ／ＥＢＲ−ＤＤ”
ｘｍｌｎｓ：ｘｓｉ＝“ｈｔｔｐ：／／ｗｗｗ．ｗ３．ｏｒｇ／２００１／ＸＭＬＳｃｈｅｍａ−ｉｎｓｔａｎｃｅ”
ｘｓｉ：ｓｃｈｅｍａＬｏｃａｔｉｏｎ＝“ｈｔｔｐ：／／ｅ−ｂｏｏｋ．ｃｏｐｙｒｉｇｈｔｓ．ｏｒ．ｋｒ／１．０／ｒｅｌ／ＥＢＲ−ＤＤ
ＥＢＲ−ＤＤ−１０．ｘｓｄ”＞
＜ｏ−ｅｘ：ｃｏｎｔｅｘｔ＞
＜ｏ−ｄｄ：ｕｉｄ＞ＲｉｇｈｔｓＯｂｊｅｃｔＩＤ＜／ｏ−ｄｄ：ｕｉｄ＞
＜／ｏ−ｅｘ：ｃｏｎｔｅｘｔ＞
＜ｏ−ｅｘ：ａｇｒｅｅｍｅｎｔ＞
＜ｏ−ｅｘ：ａｓｓｅｔ＞
：
＜／ｏ−ｅｘ：ａｓｓｅｔ＞
＜ｏ−ｅｘ：ｐｅｒｍｉｓｓｉｏｎ＞
＜ｏ−ｄｄ：ｄｉｓｐｌａｙ／＞
＜ｏ−ｄｄ：ｐｒｉｎｔ／＞
＜／ｏ−ｅｘ：ｐｅｒｍｉｓｓｉｏｎ＞
＜ｏ−ｅｘ：ｃｏｎｓｔｒａｉｎｔ＞
＜ｏ−ｄｄ：ｇｒｏｕｐ＞
＜ｏ−ｅｘ：ｃｏｎｔｅｘｔ＞
＜ｏ−ｄｄ：ｕｉｄ＞ｍｅｍｂｅｒｓｈｉｐ  Ａ＜／ｏ−ｄｄ：ｕｉｄ＞
＜／ｏ−ｅｘ：ｃｏｎｔｅｘｔ＞
＜／ｏ−ｄｄ：ｇｒｏｕｐ＞
また、ＯＰＳ（Ｏｐｅｎ  Ｐｕｂｌｉｃａｔｉｏｎ  Ｓｔｒｕｃｔｕｒｅ）はフォント（ｆｏｎｔｓ）、イメージ（ｉｍｇ）、スタイル（ｓｔｙｌｅｓ）およびテキスト（ｔｅｘｔ）フォルダ、そしてｃｏｎｔｅｎｔ．ｏｐｆとｔｏｃ．ｎｃｘで構成される。また、ｃｏｎｔｅｘｔ．ｏｐｆはＯＰＦ（Ｏｐｅｎ  Ｐａｃｋａｇｉｎｇ  Ｆｉｌｅ）ファイルであって、ＥＰＵＢ著作物のメタデータが入ってある。このとき、ＯＣＦ、ＯＰＳおよびＯＰＦはＥＰＵＢに定義された明細であって、ＯＣＦはすべてのファイルを含む圧縮ファイルであり、ＯＰＳはコンテンツのフォーマットが入っており、ＯＰＦはＸＭＬで作成されたＥＰＵＢファイルの構造を表現する。下記の表１にはＯＣＦのＭＥＴＡ−ＩＮＦファイルに対する説明が記載されている。
【００１６】
【表１】
2017501506.tif 000003
項目管理部１２０はｒｉｇｈｔ．ｘｍｌを構成するｒｉｇｈｔｓ、ａｇｒｅｅｍｅｎｔおよびｐａｒｔｙの中でｐａｒｔｙ内に定義される著作権情報の各項目を管理する。図３にはｒｉｇｈｔ．ｘｍｌを構成するｒｉｇｈｔｓ、ａｇｒｅｅｍｅｎｔおよびｐａｒｔｙのプロファイルが図示されている。図３を参照すれば、ｒｉｇｈｔｓ．ｘｍｌ内ＥＰＵＢ著作物プロファイルはｒｉｇｈｔｓが外部で参照される場合に用いられる識別情報（ＩＤ）を表示するｃｏｎｔｅｘｔ、著作権情報および権限合意内容であるａｇｒｅｅｍｅｎｔ、そして権限表現情報の完全性を保障するためのｓｉｇｎａｔｕｒｅで構成される。ａｇｒｅｅｍｅｎｔはコンテンツに対する著作権および著作権者の情報が入れられたｐａｒｔｙ、著作権および権限対象であるコンテンツを指し示すａｓｓｅｔ、権限の内容であるｐｅｒｍｉｓｓｉｏｎｓ、そして権限の実行条件であるｃｏｎｓｔｒａｉｎｔで構成される。このようなａｇｒｅｅｍｅｎｔはコンテンツに対する著作権者の情報（著作権の種類、著作権所有者、Ｅメール、住所など）と権限所有者（コンテンツ所有者、サービス事業者など）が使用者にコンテンツの使用を許可するための具体的な内容を含んでおり、コンテンツ識別子、コンテンツ使用方式および条件などに対する内容を含んでいる。ａｇｒｅｅｍｅｎｔはそれぞれの著作権および権限対象であるＥＰＵＢ著作物またはＥＰＵＢ著作物内に含まれたコンテンツ（テキスト、イメージ、動画など）を指し示すａｓｓｅｔ別に生成され得る。またｐａｒｔｙはＥＰＵＢ著作物に対する著作権情報を表示するための構成要素であって、ＩＤＰＦのＥＰＵＢ形式の著作物単位または、著作物内部に含まれている細部コンテンツ単位で（ａｓｓｅｔに明示）著作権情報が存在する著作物または、著作物内部のコンテンツに対する著作権情報（著作権類型、所有者、Ｅメール、住所、郵便番号、都市、国、電話番号、ファックス番号など）を表示するために用いられる。図４にはｐａｒｔｙのスキーマが図示されている。そして下記の表２にはｐａｒｔｙを構成するそれぞれの項目の属性および内容が記載されている。
【００１７】
【表２】
2017501506.tif 000004
また、ａｓｓｅｔｓはＥＰＵＢ著作物の識別情報（ＩＤ）を表現するための構成要素であって、ＩＤＰＦのＥＰＵＢ形式の著作物単位または、著作物内部に含まれている細部コンテンツ単位で権限指定が必要なコンテンツを明示するために用いられる。またｐｅｒｍｉｓｓｉｏｎｓはＥＰＵＢ著作物が用いられる類型（例：、見る、印刷、原本保存、譲渡など）を明示するために用いられる。また、ｃｏｎｓｔｒａｉｎｔはＥＰＵＢ著作物が用いられるための条件を明示するために用いられ、使用条件は使用者または、グループ指定、使用期間、使用回数、使用機器、使用ソフトウェアなどであり得る。また、ｒｅｑｕｉｒｅｍｅｎｔはＥＰＵＢ著作物が用いられるための要求事項を明示するために用いられ、要求事項はＣＣＬライセンスに対する同意などであり得る。また、ｓｉｇｎａｔｕｒｅは電子署名方式を通じてＥＰＵＢ  ＤＲＭ  ＲＥＬが信頼できる発行者によって内容が変更されていないことを証明するために用いられる。
【００１８】
項目管理部１２０は表２に記載された著作権情報を構成する各項目（著作権者Ｅメール、著作権者住所、著作権者郵便番号、著作権者都市、著作権者道、著作権者国、著作権者電話番号、著作権者ファックス番号など）の中で運営者が選択した項目を追加したり除去する。このような項目管理部１２０は選択的に具備され得る。もし項目管理部１２０が具備されていない場合には著作権情報を構成する各項目は著作権情報編集部１３０に事前に設定される。
【００１９】
著作権情報編集部１３０はファイル接近部１１０が読み込んだＥＰＵＢ著作物のスキーマを構成するｒｉｇｈｔ．ｘｍｌのｐａｒｔｙの項目を使用者に出力し、使用者から各項目の値の入力を受けてｒｉｇｈｔ．ｘｍｌに記録する。このとき、著作権情報編集部１３０は項目管理部１２０からｐａｒｔｙの各項目および属性を獲得したり自体に設定されているｐａｒｔｙの各項目および属性を利用する。次は著作権情報編集部１３０により生成されたｐａｒｔｙ項目の例および著作権情報の例である。
【００２０】
［ｐａｒｔｙ項目の例］
＜ｘｓｄ：ｅｌｅｍｅｎｔ  ｎａｍｅ＝“ｐａｒｔｙ”ｔｙｐｅ＝“ｏ−ｅｘ：ｐａｒｔｙＴｙｐｅ”／＞
＜ｘｓｄ：ｃｏｍｐｌｅｘＴｙｐｅ  ｎａｍｅ＝“ｐａｒｔｙＴｙｐｅ”＞
＜ｘｓｄ：ｓｅｑｕｅｎｃｅ  ｍｉｎＯｃｃｕｒｓ＝“０”ｍａｘＯｃｃｕｒｓ＝“ｕｎｂｏｕｎｄｅｄ”＞
＜ｘｓｄ：ｅｌｅｍｅｎｔ  ｒｅｆ＝“ｏ−ｅｘ：ｃｏｎｔｅｘｔ”  ｍｉｎＯｃｃｕｒｓ＝“０”／＞
＜ｘｓｄ：ｅｌｅｍｅｎｔ  ｒｅｆ＝“ｏ−ｅｘ：ｒｉｇｈｔｓｈｏｌｄｅｒ”  ｍｉｎＯｃｃｕｒｓ＝“０”ｍａｘＯｃｃｕｒｓ＝“ｕｎｂｏｕｎｄｅｄ”／＞
＜ｘｓｄ：ｅｌｅｍｅｎｔ  ｒｅｆ＝“ｏ−ｅｘ：ｐａｒｔｙ”ｍｉｎＯｃｃｕｒｓ＝“０”／＞
＜／ｘｓｄ：ｓｅｑｕｅｎｃｅ＞
＜ｘｓｄ：ａｔｔｒｉｂｕｔｅＧｒｏｕｐ  ｒｅｆ＝“ｏ−ｅｘ：ＩＤＧｒｏｕｐ”／＞
＜／ｘｓｄ：ｃｏｍｐｌｅｘＴｙｐｅ＞
［著作権情報の例］
＜ｘｓｄ：ｅｌｅｍｅｎｔ  ｎａｍｅ＝“ｒｉｇｈｔｓＨｏｌｄｅｒ”ｔｙｐｅ＝“ｏ−ｅｘ：ｒｉｇｈｔｓＨｏｌｄｅｒＴｙｐｅ”／＞
＜ｘｓｄ：ｃｏｍｐｌｅｘＴｙｐｅ  ｎａｍｅ＝“ｒｉｇｈｔｓＨｏｌｄｅｒＴｙｐｅ”＞
＜ｘｓｄ：ｃｈｏｉｃｅ  ｍｉｎＯｃｃｕｒｓ＝“０”  ｍａｘＯｃｃｕｒｓ＝“ｕｎｂｏｕｎｄｅｄ”＞
＜ｘｓｄ：ｅｌｅｍｅｎｔ  ｒｅｆ＝“ｏ−ｅｘ：ｃｏｎｔｅｘｔ”ｍｉｎＯｃｃｕｒｓ＝“０”／＞
＜ｘｓｄ：ｅｌｅｍｅｎｔ  ｒｅｆ＝“ｏ−ｅｘ：ｒｉｇｈｔｓＨｏｌｄｅｒＥｌｅｍｅｎｔ”ｍｉｎＯｃｃｕｒｓ＝“０”ｍａｘＯｃｃｕｒｓ＝
“ｕｎｂｏｕｎｄｅｄ”／＞
＜／ｘｓｄ：ｃｈｏｉｃｅ＞
＜ｘｓｄ：ａｔｔｒｉｂｕｔｅＧｒｏｕｐ  ｒｅｆ＝“ｏ−ｅｘ：ＩＤＧｒｏｕｐ”／＞
＜／ｘｓｄ：ｃｏｍｐｌｅｘＴｙｐｅ＞
＜！−−  Ｄｅｃｌａｒｅ  ｂａｓｉｃ  Ｐａｒｔｙ  Ｅｌｅｍｅｎｔｓ  （ｏ−ｄｄ  ｎａｍｅｓｐａｃｅ）  −−＞
＜ｘｓｄ：ｅｌｅｍｅｎｔ  ｎａｍｅ＝“ｅ−ｍａｉｌ”ｔｙｐｅ＝“ｏ−ｅｘ：ｒｉｇｈｔｓＨｏｄｅｒＴｙｐｅ”ｓｕｂｓｔｉｔｕｔｉｏｎＧｒｏｕｐ＝
“ｏ−ｅｘ：ｒｉｇｈｔｓＨｏｌｄｅｒＥｌｅｍｅｎｔ”／＞
＜ｘｓｄ：ｅｌｅｍｅｎｔ  ｎａｍｅ＝“ａｄｄｒｅｓｓ”ｔｙｐｅ＝“ｏ−ｅｘ：ｒｉｇｈｔｓＨｏｄｅｒＴｙｐｅ”ｓｕｂｓｔｉｔｕｔｉｏｎＧｒｏｕｐ＝
“ｏ−ｅｘ：ｒｉｇｈｔｓＨｏｌｄｅｒＥｌｅｍｅｎｔ”／＞
＜ｘｓｄ：ｅｌｅｍｅｎｔ  ｎａｍｅ＝“ｚｉｐ−ｃｏｄｅ”ｔｙｐｅ＝“ｏ−ｅｘ：ｒｉｇｈｔｓＨｏｄｅｒＴｙｐｅ”ｓｕｂｓｔｉｔｕｔｉｏｎＧｒｏｕｐ＝
“ｏ−ｅｘ：ｒｉｇｈｔｓＨｏｌｄｅｒＥｌｅｍｅｎｔ”／＞
８
＜ｘｓｄ：ｅｌｅｍｅｎｔ  ｎａｍｅ＝“ｃｉｔｙ”ｔｙｐｅ＝“ｏ−ｅｘ：ｒｉｇｈｔｓＨｏｄｅｒＴｙｐｅ”ｓｕｂｓｔｉｔｕｔｉｏｎＧｒｏｕｐ＝“ｏ−ｅｘ：
ｒｉｇｈｔｓＨｏｌｄｅｒＥｌｅｍｅｎｔ“／＞
＜ｘｓｄ：ｅｌｅｍｅｎｔ  ｎａｍｅ＝“ｓｔａｔｅ”ｔｙｐｅ＝“ｏ−ｅｘ：ｒｉｇｈｔｓＨｏｄｅｒＴｙｐｅ”ｓｕｂｓｔｉｔｕｔｉｏｎＧｒｏｕｐ＝
“ｏ−ｅｘ：ｒｉｇｈｔｓＨｏｌｄｅｒＥｌｅｍｅｎｔ”／＞
＜ｘｓｄ：ｅｌｅｍｅｎｔ  ｎａｍｅ＝“ｃｏｕｎｔｒｙ”ｔｙｐｅ＝“ｏ−ｅｘ：ｒｉｇｈｔｓＨｏｄｅｒＴｙｐｅ”ｓｕｂｓｔｉｔｕｔｉｏｎＧｒｏｕｐ＝
“ｏ−ｅｘ：ｒｉｇｈｔｓＨｏｌｄｅｒＥｌｅｍｅｎｔ”／＞
＜ｘｓｄ：ｅｌｅｍｅｎｔ  ｎａｍｅ＝“ｐｈｏｎｅ”ｔｙｐｅ＝“ｏ−ｅｘ：ｒｉｇｈｔｓＨｏｄｅｒＴｙｐｅ”ｓｕｂｓｔｉｔｕｔｉｏｎＧｒｏｕｐ＝
“ｏ−ｅｘ：ｒｉｇｈｔｓＨｏｌｄｅｒＥｌｅｍｅｎｔ”／＞
＜ｘｓｄ：ｅｌｅｍｅｎｔ  ｎａｍｅ＝“ｆａｘ”ｔｙｐｅ＝“ｏ−ｅｘ：ｒｉｇｈｔｓＨｏｄｅｒＴｙｐｅ”ｓｕｂｓｔｉｔｕｔｉｏｎＧｒｏｕｐ＝
“ｏ−ｅｘ：ｒｉｇｈｔｓＨｏｌｄｅｒＥｌｅｍｅｎｔ”／＞
著作権情報閲覧部１４０はファイル接近部１１０が読み込んだＥＰＵＢ著作物のスキーマを構成するｒｉｇｈｔ．ｘｍｌのｐａｒｔｙの項目に対して記録された著作権情報を使用者に出力する。このとき、著作権情報閲覧部１４０は著作権情報が設定されているコンテンツ上にカーソルが位置すると、ポップアップ画面を利用して該当コンテンツに対する著作権情報を出力するように構成され得る。このような著作権情報閲覧部１４０はＥＰＵＢビューアーに独立的なモジュールで追加され得、この場合、既存のＥＰＵＢビューアーがファイル接近部１１０の機能を遂行する。
【００２１】
図５は本発明に係るＥＰＵＢ内に著作権情報を表示する方法に対する好ましい実施例の遂行過程を図示したフローチャートである。
【００２２】
図５を参照すれば、ファイル接近部１１０は保存手段（図示せず）から  ＥＰＵＢ著作物を読み込んだ後ＥＰＵＢ著作物のスキーマを出力  する（Ｓ５００）。著作権情報編集部１３０はファイル接近部１１０が読み込んだＥＰＵＢ著作物のスキーマを構成するｒｉｇｈｔ．ｘｍｌのｐａｒｔｙの項目を使用者に出力し、使用者から入力を受けたｒｉｇｈｔ．ｘｍｌのｐａｒｔｙの項目の値をｒｉｇｈｔ．ｘｍｌに記録する（Ｓ５１０）。このように著作権情報が生成された状態でＥＰＵＢビューアーが駆動されると（Ｓ５２０）、著作権情報閲覧部１４０はＥＰＵＢ著作物のスキーマを構成するｒｉｇｈｔ．ｘｍｌのｐａｒｔｙの項目に対して記録された著作権情報を使用者に出力する（Ｓ５３０）。
【００２３】
本発明はまた、コンピュータ可読記録媒体にコンピュータ可読コードで具現することが可能である。コンピュータ可読記録媒体はコンピュータシステムによって読み込まれ得るデータが保存されるすべての種類の記録装置を含む。コンピュータ可読記録媒体の例としては、ＲＯＭ、ＲＡＭ、ＣＤ−ＲＯＭ、磁気テープ、フロッピーディスク、光データ保存装置などがあり、また、キャリアウェイブ（例えばインターネットを通した伝送）の形態で具現されるものも含む。また、コンピュータ可読記録媒体はネットワークに連結されたコンピュータシステムに分散され、分散方式でコンピュータ可読コードが保存されて実行され得る。
【００２４】
以上、本発明の好ましい実施例について図示して説明したが、本発明は前述した特定の好ましい実施例に限定されず、特許請求の範囲で請求する本発明の要旨を逸脱することなく、当該発明が属する技術分野で通常の知識を有した者であれば、誰でも多様な変形実施が可能であることはもちろん、そのような変更は特許請求の範囲の記載の範囲内にある。
【図１】
2017501506.tif 000005
【図２】
2017501506.tif 000006
【図３】
2017501506.tif 000007
【図４】
2017501506.tif 000008
【図５】
2017501506.tif 000009
【国際調査報告】
2017501506.tif 000010
2017501506.tif 000011
2017501506.tif 000012
2017501506.tif 000013